(57)【要約】      （修正有）【課題】マルチポイント協調（ＣｏＭＰ）オペレーションにおけるアンテナポート疑似コロケーションシグナリングのためのユーザ機器（ＵＥ）及び方法を提供する。【解決手段】ダウンリンクチャネルが、サービング進化型ノードＢ（ｅＮＢ）から隣接ｅＮＢに少なくとも部分的にオフロードされる。ＵＥは、サービングｅＮＢからシグナリングを受信して、隣接ｅＮＢの基準信号を示し、隣接ｅＮＢにより提供されるダウンリンクチャネルに関連する大規模な物理層パラメータの推定に使用する。ＵＥは、隣接およびサービングｅＮＢからの示された基準信号の受信に基づいて、大規模な物理層パラメータを推定し、隣接およびサービングｅＮＢからのダウンリンクチャネルを処理するために適用する。【選択図】図５
2017085596.tif 000002
【特許請求の範囲】
【請求項１】
ユーザ機器（ＵＥ）であって、
隣接進化型ノードＢ（隣接ｅＮＢ）からの基準信号と、
ダウンリンクチャネルの複数の信号と、
前記ダウンリンクチャネルの前記複数の信号を受信するための送信モードを示し、かつ、前記ダウンリンクチャネルに関連する１又は複数の大規模な物理層パラメータのうちのサービングｅＮＢ及び隣接ｅＮＢの間のタイミングオフセットを推定するときに前記ＵＥが前記隣接ｅＮＢの前記基準信号を使用することを示す、前記サービングｅＮＢからのシグナリングと
を受信するトランシーバ回路と、
複数のアンテナポートの第１のセットから前記ダウンリンクチャネルの受信した複数の信号を処理するときの使用のために、前記隣接ｅＮＢの前記基準信号を用いて、前記タイミングオフセットを推定する処理回路と、
複数のアンテナポートの前記第１のセットと複数のアンテナポートの第２のセットとの間の疑似コロケーションを示す前記シグナリングを受信したことに応じて、複数のアンテナポートの前記第２のセットからの複数の信号を処理するときに、前記推定されたタイミングオフセットを適用する回路を含み、前記ダウンリンクチャネルの前記受信した複数の信号を処理する処理回路と
を備え、
前記タイミングオフセットは、サイクリックプレフィックス（ＣＰ）の長さに限定され、前記送信モードは、前記サービングｅＮＢに関連する複数のアンテナポートの前記第１のセット及び前記隣接ｅＮＢに関連する複数のアンテナポートの前記第２のセットが疑似コロケートされることを示し、
複数のアンテナポートの前記第２のセットから受信される前記ダウンリンクチャネルの前記複数の信号は、前記サービングｅＮＢから前記隣接ｅＮＢへオフロードされる、ＵＥ。
【請求項２】
前記ダウンリンクチャネルが、前記サービングｅＮＢから前記隣接ｅＮＢへ部分的にオフロードされる物理ダウンリンク共有チャネル（ＰＤＳＣＨ）であるとき、前記ＰＤＳＣＨのためのシグナリングは、ダウンリンク制御情報（ＤＣＩ）における物理（ＰＨＹ）層シグナリングを使用して提供され、
前記ダウンリンクチャネルが拡張物理ダウンリンク制御チャネル（ｅ−ＰＤＣＣＨ）であるとき、前記ｅ−ＰＤＣＣＨのためのシグナリングは、前記ＤＣＩを使用することなく提供され、複数のアンテナポートの前記第２のセットからの前記複数の信号を処理することは、前記ｅ−ＰＤＣＣＨをデコードすることを含み、複数のアンテナポートの前記第２のセットのメンバは、アンテナポート１０７から１１０である、請求項１に記載のＵＥ。
【請求項３】
複数のアンテナポートの前記第１のセットのメンバは、アンテナポート０から３である、又は
前記送信モードは、送信モード１０であり、かつ、複数のアンテナポートの前記第１のセットのメンバは、アンテナポート１５から２２である、
のうちの一方である、請求項２に記載のＵＥ。
【請求項４】
前記隣接ｅＮＢの前記基準信号は、チャネル状態情報基準信号（ＣＳＩ−ＲＳ）であり、
前記処理回路は、前記サービングｅＮＢ及び前記隣接ｅＮＢの両方のＣＳＩ−ＲＳに基づいて、チャネル状態情報（ＣＳＩ）フィードバックを計算するようにさらに構成され、
前記トランシーバ回路は、前記サービングｅＮＢに前記ＣＳＩフィードバックを送信するようにさらに構成され、
前記隣接ｅＮＢの前記ＣＳＩフィードバックは、Ｘ２インタフェースを介して前記隣接ｅＮＢで受信される、請求項１から３のいずれか一項に記載のＵＥ。
【請求項５】
前記ダウンリンクチャネルは、拡張物理ダウンリンク制御チャネル（ｅ−ＰＤＣＣＨ）であり、
推定のために示される前記ダウンリンクチャネルの前記受信した複数の信号は、
異なる複数のｅ−ＰＤＣＣＨ領域又は複数のセット、
共通且つＵＥ固有のサーチスペース、又は、
局在且つ分散されたｅ−ＰＤＣＣＨ割り当て
のうち少なくとも１つに対して個別に構成される、請求項１から４のいずれか一項に記載のＵＥ。
【請求項６】
複数の大規模なパラメータの前記セットは、チャネル推定のためのドップラーシフト、ドップラー拡散、平均遅延、遅延拡散、周波数オフセット補償、信号対雑音比、ドップラー遅延プロファイル、電力遅延プロファイルを含む、請求項１から５のいずれか一項に記載のＵＥ。
【請求項７】
前記ダウンリンクチャネルは、拡張物理ダウンリンク制御チャネル（ｅ−ＰＤＣＣＨ）であり、
前記サービングｅＮＢからの前記シグナリングは、無線リソース制御（ＲＲＣ）メッセージで受信され、
前記サービングｅＮＢからの前記シグナリングは、特定のコロケートされたＣＳＩ−ＲＳリソース又はｅ−ＰＤＣＣＨ  ＵＥ固有の基準信号処理に関する測定セットの干渉測定リソース（ＩＭＲ）のうち少なくとも１つを示すべく、ＣＳＩ−ＲＳインデックス又はＣＳＩ処理インデックスのうちの一方を含むｅ−ＰＤＣＣＨ構成を有する、請求項１から６のいずれか一項に記載のＵＥ。
【請求項８】
ユーザ機器（ＵＥ）により実行される方法であって、前記方法は、
隣接進化型ノードＢ（隣接ｅＮＢ）及びサービングｅＮＢからのチャネル状態情報基準信号（ＣＳＩ−ＲＳ）と、ダウンリンクチャネルの複数の信号と、前記ダウンリンクチャネルの前記複数の信号、並びに、複数のアンテナポートの第１のセット及び複数のアンテナポートの第２のセットが疑似コロケートされることを示す複数の信号を受信するための送信モードを示す、前記サービングｅＮＢからのシグナリングとを、受信回路を介して、受信する段階と、
前記隣接ｅＮＢの前記基準信号を使用して、複数のアンテナポートの前記第１のセットから前記ダウンリンクチャネルの受信された複数の信号を処理するときの使用のために、複数の大規模なパラメータのセットにおける前記サービングｅＮＢ及び隣接ｅＮＢの間のタイミングオフセットを、処理回路を介して、推定する段階と、
複数のアンテナポートの前記第１のセットと複数のアンテナポートの前記第２のセットとの間の疑似コロケーションを示す前記シグナリングを受信することに応じて、複数のアンテナポートの前記第２のセットからの複数の信号を処理するときに、前記推定されたタイミングオフセットを適用する段階を含み、前記ダウンリンクチャネルの前記受信した複数の信号を、前記処理回路を介して、処理する段階と、
前記ＵＥから前記隣接ｅＮＢに前記ＣＳＩフィードバックを送信することなく、前記サービングｅＮＢに前記ＣＳＩフィードバックを送信する段階と
を備え、
複数のアンテナポートの前記第１のセットは、前記サービングｅＮＢに含まれ、複数のアンテナポートの前記第２のセットは、前記隣接ｅＮＢに含まれ、
複数のアンテナポートの前記第２のセットから受信した前記ダウンリンクチャネルの前記複数の信号は、前記サービングｅＮＢから前記隣接ｅＮＢにオフロードされ、前記処理する段階は、前記サービングｅＮＢ及び隣接ｅＮＢの両方のＣＳＩ−ＲＳに基づいて、前記ＣＳＩフィードバックを計算する段階を含み、
前記隣接ｅＮＢの前記ＣＳＩフィードバックは、Ｘ２インタフェースを介して前記隣接ｅＮＢで受信される、方法。
【請求項９】
前記ダウンリンクチャネルが、前記サービングｅＮＢから前記隣接ｅＮＢに部分的にオフロードされる物理ダウンリンク共有チャネル（ＰＤＳＣＨ）であるとき、前記ＰＤＳＣＨのシグナリングは、ダウンリンク制御情報（ＤＣＩ）における物理（ＰＨＹ）層シグナリングを使用して提供され、
前記ダウンリンクチャネルが拡張物理ダウンリンク制御チャネル（ｅ−ＰＤＣＣＨ）であるとき、前記ｅ−ＰＤＣＣＨのためのシグナリングは、前記ＤＣＩを使用することなく提供され、複数のアンテナポートの前記第２のセットからの前記複数の信号を処理する段階は、前記ｅ−ＰＤＣＣＨをデコードする段階を含み、複数のアンテナポートの前記第２のセットのメンバは、アンテナポート１０７から１１０である、請求項８に記載の方法。
【請求項１０】
複数のアンテナポートの前記第１のセットのメンバは、アンテナポート０から３である、又は、
前記送信モードは、送信モード１０であり、かつ、複数のアンテナポートの前記第１のセットのメンバは、アンテナポート１５から２２である
うちの１つである、請求項９に記載の方法。
【請求項１１】
前記タイミングオフセットは、サイクリックプレフィックス（ＣＰ）の長さに限定される、請求項８から１０のいずれか一項に記載の方法。
【請求項１２】
前記ダウンリンクチャネルは、拡張物理ダウンリンク制御チャネル（ｅ−ＰＤＣＣＨ）であり、
推定のために示される前記ダウンリンクチャネルの前記受信した複数の信号は、
異なる複数のｅ−ＰＤＣＣＨ領域又は複数のセット、
共通且つＵＥ固有のサーチスペース、又は、
局在且つ分散されたｅ−ＰＤＣＣＨ割り当て、
のうち少なくとも１つに対して個別に構成される、請求項８から１１のいずれか一項に記載の方法。
【請求項１３】
複数の大規模なパラメータの前記セットは、チャネル推定のためのドップラーシフト、ドップラー拡散、平均遅延、遅延拡散、周波数オフセット補償、信号対雑音比、ドップラー遅延プロファイル、電力遅延プロファイルを含む、請求項８から１２のいずれか一項に記載の方法。
【請求項１４】
前記ダウンリンクチャネルは、拡張物理ダウンリンク制御チャネル（ｅ−ＰＤＣＣＨ）であり、
前記サービングｅＮＢからの前記シグナリングは、無線リソース制御（ＲＲＣ）メッセージにおいて受信され、
前記サービングｅＮＢからの前記シグナリングは、特定のコロケートされたＣＳＩ−ＲＳリソース又はｅ−ＰＤＣＣＨ  ＵＥ固有の基準信号処理に関する測定セットの干渉測定リソース（ＩＭＲ）のうち少なくとも１つを示すべく、ＣＳＩ−ＲＳインデックス又はＣＳＩ処理インデックスのうちの一方を含むｅ−ＰＤＣＣＨ構成を有する、請求項８から１３のいずれか一項に記載の方法。
【請求項１５】
ユーザ機器（ＵＥ）に、
隣接進化型ノードＢ（隣接ｅＮＢ）からの基準信号と、ダウンリンクチャネルの複数の信号と、前記ダウンリンクチャネルの前記複数の信号、並びに、複数のアンテナポートの第１のセット及び複数のアンテナポートの第２のセットが疑似コロケートであることを示す複数の信号を受信するための送信モードを示す、サービングｅＮＢからのシグナリングとを受信する手順と、
前記隣接ｅＮＢの前記基準信号を使用して、複数のアンテナポートの前記第１のセットから前記ダウンリンクチャネルの受信された複数の信号を処理するときの使用のために、複数の大規模なパラメータのセットにおいて、前記サービングｅＮＢと前記隣接ｅＮＢとの間のタイミングオフセットを推定する手順と、
複数のアンテナポートの前記第１のセットと複数のアンテナポートの前記第２のセットとの間の疑似コロケーションを示す前記シグナリングを受信することに応じて、複数のアンテナポートの前記第２のセットからの複数の信号を処理するときに、推定された前記複数の大規模なパラメータの前記セットのメンバを適用する手順を含み、前記ダウンリンクチャネルの前記受信した複数の信号を処理する手順と
を実行させ、
複数のアンテナポートの前記第１のセットは、前記サービングｅＮＢに含まれ、複数のアンテナポートの前記第２のセットは、前記隣接ｅＮＢに含まれ、
前記タイミングオフセットは、サイクリックプレフィックス（ＣＰ）の長さに限定され、
複数のアンテナポートの前記第２のセットから受信した前記ダウンリンクチャネルの前記複数の信号は、前記サービングｅＮＢから前記隣接ｅＮＢへオフロードされる、プログラム。
【請求項１６】
前記ダウンリンクチャネルが、前記サービングｅＮＢから前記隣接ｅＮＢへ部分的にオフロードされる物理ダウンリンク共有チャネル（ＰＤＳＣＨ）であるとき、前記ＰＤＳＣＨのためのシグナリングは、ダウンリンク制御情報（ＤＣＩ）における物理（ＰＨＹ）層シグナリングを使用して提供され、
前記ダウンリンクチャネルが拡張物理ダウンリンク制御チャネル（ｅ−ＰＤＣＣＨ）であるとき、前記ｅ−ＰＤＣＣＨのためのシグナリングは、前記ＤＣＩを使用することなく提供され、複数のアンテナポートの前記第２のセットからの前記複数の信号を処理する手順は、前記ｅ−ＰＤＣＣＨをデコードする手順を含み、複数のアンテナポートの前記第２のセットのメンバは、アンテナポート１０７から１１０である、請求項１５に記載のプログラム。
【請求項１７】
複数のアンテナポートの前記第１のセットのメンバは、アンテナポート０から３である、又は、
前記送信モードは送信モード１０であり、かつ、複数のアンテナポートの前記第１のセットのメンバは、アンテナポート１５から２２である
うちの一方である、請求項１６に記載のプログラム。
【請求項１８】
前記隣接ｅＮＢの前記基準信号は、チャネル状態情報基準信号（ＣＳＩ−ＲＳ）であり、
前記処理する手順は、前記サービングｅＮＢ及び前記隣接ｅＮＢの両方のＣＳＩ−ＲＳに基づいてチャネル状態情報（ＣＳＩ）フィードバックを計算する手順を含み、
前記プログラムは、前記ＵＥに、前記サービングｅＮＢに前記ＣＳＩフィードバックを送信する手順をさらに実行させ、前記隣接ｅＮＢの前記ＣＳＩフィードバックは、Ｘ２インタフェースを介して前記隣接ｅＮＢで受信される、請求項１５から１７のいずれか一項に記載のプログラム。
【請求項１９】
前記ダウンリンクチャネルは、拡張物理ダウンリンク制御チャネル（ｅ−ＰＤＣＣＨ）であり、
推定のために示される前記ダウンリンクチャネルの前記受信した複数の信号は、
異なる複数のｅ−ＰＤＣＣＨ領域又はセット、
共通且つＵＥ固有のサーチスペース、又は、
局在且つ分散されたｅ−ＰＤＣＣＨ割り当て
のうち少なくとも１つに対して個別に構成される、請求項１５から１８のいずれか一項に記載のプログラム。
【請求項２０】
複数の大規模なパラメータの前記セットは、チャネル推定のためのドップラーシフト、ドップラー拡散、平均遅延、遅延拡散、周波数オフセット補償、信号対雑音比、ドップラー遅延プロファイル、電力遅延プロファイルを含む、請求項１５から１９のいずれか一項に記載のプログラム。
【請求項２１】
前記ダウンリンクチャネルは、拡張物理ダウンリンク制御チャネル（ｅ−ＰＤＣＣＨ）であり、
前記サービングｅＮＢからの前記シグナリングは、無線リソース制御（ＲＲＣ）メッセージ内で受信され、
前記サービングｅＮＢからの前記シグナリングは、特定のコロケートされたＣＳＩ−ＲＳリソース又はｅ−ＰＤＣＣＨ  ＵＥ固有の基準信号のための測定セットの干渉測定リソース（ＩＭＲ）のうち少なくとも１つを示すべく、ＣＳＩ−ＲＳインデックス又はＣＳＩ処理インデックスの一方を含むｅ−ＰＤＣＣＨ構成を有する、請求項１５から２０のいずれか一項に記載のプログラム。
【請求項２２】
請求項１５から２１のいずれか一項に記載のプログラムを格納するコンピュータ可読記憶媒体。
【発明の詳細な説明】
【技術分野】
【０００１】
実施形態は、ワイヤレス通信に関連する。幾つかの実施形態は、Ｌｏｎｇ Ｔｅｒｍ Ｅｖｏｌｕｔｉｏｎ（ＬＴＥ）に対する３ＧＰＰ規格（３ＧＰＰ  ＬＴＥ）の１つに従うＥ−ＵＴＲＡＮネットワークオペレーティングのような携帯電話ネットワークにおけるマルチポイント協調（ＣｏＭＰ）オペレーションに関する。
［関連出願］
本出願は、２０１２年７月２０日に出願された米国仮特許出願第６１／６７４２７４及び２０１２年９月２８日に出願された米国仮特許出願番号６１／７０７７８４の優先権の利益を主張する２０１２年１２月５日に出願された米国特許出願第１３／７０６０９８の優先権の利益を主張するとともに、それらすべてが、その全体が参照により本明細書に組み込まれる。
【背景技術】
【０００２】
複数のアンテナ位置からの信号を協調し結合することにより、ＣｏＭＰオペレーションは、それらがビデオ、写真、及び他の高帯域サービスにアクセスし、共有すると、それらがセルの中心に近いかその外側端にあるかどうかにかかわらず、モバイルユーザに不変のパフォーマンス及び品質を享受することを可能にし得る。ＣｏＭＰオペレーションの間、ユーザ機器（ＵＥ）は、複数のサイト（例えば、サービング進化型ノードＢ（ｅＮＢ）および隣接ｅＮＢ）から信号を受信して、複数受信の利点を得て、リンクパフォーマンスを改善してよい。ＣｏＭＰオペレーションの１つの問題は、サービング及び隣接ｅＮＢ間での幾つかのパラメータのミスマッチのために、ＵＥが隣接ｅＮＢから受信される信号を処理することが困難になっていることである。
【０００３】
従って、必要なことは、ＵＥが改善されたＣｏＭＰオペレーションに対するパラメータのミスマッチを処理することを可能にする、ＣｏＭＰオペレーションにおけるシグナリングのためのＵＥおよび方法である。
【図面の簡単な説明】
【０００４】
【図１】幾つかの実施形態による無線ネットワークを示す。
【０００５】
【図２】幾つかの実施形態によるタイミングミスマッチを示す。
【０００６】
【図３】幾つかの実施形態によるユーザ機器（ＵＥ）の機能ブロック図である。
【０００７】
【図４Ａ】幾つかの実施形態によるＣｏＭＰシナリオを示す。
【図４Ｂ】幾つかの実施形態による別のＣｏＭＰシナリオを示す。
【図４Ｃ】幾つかの実施形態によるさらに別のＣｏＭＰシナリオを示す。
【０００８】
【図５】幾つかの実施形態によるＣｏＭＰオペレーションのためのアンテナポート疑似コロケーションシグナリングの手順を示す。
【発明を実施するための形態】
【０００９】
次の説明および図面は、当業者がそれらを実施することができる程度に十分に特定の実施形態を示す。他の実施形態は、構造的、論理的、電気的、プロセス及び他の変更を取り込んでよい。幾つかの実施形態の部分および特徴は、他の実施形態のそれらに含める、または置き換えてもよい。特許請求の範囲に記載の実施形態は、それらの請求項のすべての可能な等価物を包含する。
【００１０】
図１は、幾つかの実施形態による無線ネットワークを示す。無線ネットワーク１００は、ユーザ機器（ＵＥ）１０２及び複数の進化型ノードＢ（ｅＮＢ）１０４、１０６、および１１６を含む。ｅＮＢは、ＵＥ１０２のようなＵＥに通信サービスを提供してよい。ｅＮＢ１０４は、ＵＥ１０２がｅＮＢ１０４により扱われる領域（例えば、セル）に位置すると、サービングｅＮＢになってよい。ｅＮＢ１０６、１１６は、隣接ｅＮＢであってよい。
【００１１】
実施形態によると、ＵＥ１０２は、１または複数のダウンリンクチャネル１０７がサービングｅＮＢ１０４から隣接ｅＮＢ１０６および／または１１６のような１または複数の隣接ｅＮＢに少なくとも部分的にオフロードされるマルチポイント協調（ＣｏＭＰ）オペレーションに対して構成されてよい。これらの実施形態では、ＵＥ１０２は、サービングｅＮＢ１０４からシグナリングを受信して、隣接ｅＮＢの特定の基準信号（例えば、隣接ｅＮＢ１０６の基準信号１０５および／または隣接ｅＮＢ１１６の基準信号１１５）を示し、隣接ｅＮＢにより少なくとも部分的に提供され得る１または複数のダウンリンクチャネル１０７に関連する１または複数の大規模な物理層パラメータの推定に使用してよい。ＵＥ１０２は、隣接ｅＮＢから、示された基準信号１０５の受信に基づいて１または複数の大規模な物理層パラメータを推定し、推定された１または複数の大規模な物理層パラメータを隣接ｅＮＢからの１または複数のダウンリンクチャネル１０７を処理するために適用してよい。それにより、これらのパラメータ間のミスマッチが処理され得る。例えば、隣接ｅＮＢにより送信された、改善された記号検出およびオフロードされたダウンリンクチャネルの復調が実現され得る。
【００１２】
これは、少なくとも部分的にオフロードされたダウンリンクチャネルを処理するためにサービングｅＮＢ１０４からの基準信号１０３に基づいて、大規模な物理層パラメータの１または複数を推定し得る幾つかの従来の技術と異なる。サービングｅＮＢ１０４により送信される基準信号（例えば、基準信号１０３）に基づくこれらの大規模な物理層パラメータのうちの任意の１または複数の従来の推定は、不十分な性能をもたらし得る。
【００１３】
幾つかの実施形態では、１または複数のダウンリンクチャネル１０７は、同時に、隣接ｅＮＢ１０６および隣接ｅＮＢ１１６のような２または複数の隣接ｅＮＢにオフロードされてよい。これらの実施形態では、サービングｅＮＢ１０４は、ＵＥ１０２にシグナリングを提供して、隣接ｅＮＢ１０６の特定の基準信号１０５を示し、少なくとも部分的に隣接ｅＮＢ１０６により提供され得る１または複数のダウンリンクチャネル１０７に関連する１または複数の大規模な物理層パラメータを推定するために使用してよく、サービングｅＮＢ１０４は、シグナリングを提供して、隣接ｅＮＢ１１６の特定の基準信号１１５を示して、少なくとも部分的に隣接ｅＮＢ１１６により提供され得る１または複数のダウンリンクチャネル１０７に関連する１または複数の大規模な物理層パラメータを推定するために使用してよい。後でより詳細に議論するように、１または複数のダウンリンクチャネル１０７は、隣接ｅＮＢ１０６および１１６に完全にオフロードされるか、それとも隣接ｅＮＢ１０６および１１６に部分的にオフロードされ得る。
【００１４】
大規模な物理層パラメータは、タイミングオフセット、周波数オフセットまたはシフト、チャネル電力遅延プロファイル、チャネルドップラー拡散、および平均チャネルゲインを含んでよい。ただし、実施形態の範囲はこれに限定されるものではない。遅延拡散ドップラーシフトおよび平均遅延のような他の大規模な物理層パラメータが含まれてもよい。
【００１５】
いくつかの実施形態では、ＵＥ１０２は、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）におけるＣｏＭＰオペレーションのために構成され、示された基準信号１０５、１１５は、ＣｏＭＰ測定セットのチャネル状態情報基準信号（ＣＳＩ−ＲＳ）、またはセル固有の基準信号（ＣＲＳ）、プライマリ同期シーケンス（ＰＳＳ）およびセカンダリ同期シーケンス（ＳＳＳ）のうちの１つでよい。ＣｏＭＰ測定セットは、ＵＥ１０２がＣＳＩ測定を実行し、ｅＮＢにフィードバックを提供するために使用し得るＣＳＩ−ＲＳのセットであってよい。サービングｅＮＢ１０４から１または複数の隣接ｅＮＢ１０６、１１６に少なくとも部分的にオフロードされる１または複数のダウンリンクチャネル１０７は、物理ダウンリンク共有チャネル（ＰＤＳＣＨ）および／または拡張物理ダウンリンク制御チャネル（ｅ−ＰＤＣＣＨ）を含んでよい。これらの実施形態では、ＵＥ１０２は、オフロードされ（例えば、ＰＤＳＣＨおよび／またはｅ−ＰＤＣＣＨ）および１または複数の隣接ｅＮＢ１０６、１１６から受信されるダウンリンクチャネル１０７を処理するために１または複数の大規模な物理層パラメータの推定を適用してよい。
【００１６】
幾つかの実施形態では、隣接ｅＮＢ１０６および／または隣接ｅＮＢ１１６がピコセルに関連付けられるとともに、サービングｅＮＢ１０４がマクロセルに関連付けられてよい。ただし、実施形態の範囲はこれに限定されるものではない。後でより詳細に記載される様々なＣｏＭＰシナリオでは、リモート無線ヘッド（ＲＲＨ）は、隣接ｅＮＢのＣｏＭＰオペレーションを実行してよい。
【００１７】
完全にオフロードされるＣｏＭＰ実施形態では、１または複数のダウンリンクチャネル１０７は、隣接ｅＮＢ１０６および隣接ｅＮＢ１１６のような１または複数の隣接ｅＮＢに完全にオフロードされてよい。これらの完全にオフロードされるＣｏＭＰ実施形態では、完全にオフロードされるダウンリンクチャネルは、１または複数の隣接ｅＮＢ１０６、１１６により送信されてよく、サービングｅＮＢ１０４により送信されない。これらの完全にオフロードされる実施形態では、ｅ−ＰＤＣＣＨおよび／またはＰＤＳＣＨは、例えば、隣接ｅＮＢ１０６および／または隣接ｅＮＢ１１６のような１または複数の隣接ｅＮＢに完全にオフロードされてよい。ｅ−ＰＤＣＣＨおよび／またはＰＤＳＣＨは、例えば、代わりに、隣接ｅＮＢ１０６および隣接ｅＮＢ１１６のような２つの隣接ｅＮＢに完全にオフロードされてよい。ｅ−ＰＤＣＣＨおよび／またはＰＤＳＣＨは、例えば、代わりに隣接ｅＮＢ１０６、隣接ｅＮＢ１１６、および隣接ｅＮＢ（不図示）のような３つの隣接ｅＮＢに完全にオフロードされてよい。
【００１８】
部分的にオフロードされるＣｏＭＰ実施形態では、１または複数のダウンリンクチャネル１０７は、隣接ｅＮＢ１０６および／または隣接ｅＮＢ１１６のような１または複数の隣接ｅＮＢに部分的にオフロードされてよい。これらの部分的にオフロードされるＣｏＭＰ実施形態では、部分的にオフロードされるダウンリンクチャネルは、サービングｅＮＢ１０４により、および１または複数の隣接ｅＮＢにより同時に送信される。これらの部分的にオフロードされる実施形態では、サービングｅＮＢ１０４は、ダウンリンクチャネル（例えば、ｅ−ＰＤＣＣＨおよび／またはＰＤＳＣＨ）がサービングｅＮＢ１０４から、同様に隣接ｅＮＢ１０６および／または隣接ｅＮＢ１１６のような１または複数の隣接ｅＮＢから送信されることを示してよい。これは、ＵＥ１０２に、更に、サービングｅＮＢ１０４の１または複数の基準信号（例えば、ＰＳＳ／ＳＳＳ／ＣＲＳまたはＣＳＩ−ＲＳ）から推定される１または複数の大規模な物理層パラメータを、ダウンリンクチャネル処理（すなわち、隣接ｅＮＢ１０６の１または複数の基準信号（例えば、ＰＳＳ／ＳＳＳ／ＣＲＳまたはＣＳＩ−ＲＳ）に加えてダウンリンクチャネル処理）のために使用できるようにする。
【００１９】
幾つかの部分的にオフロードされるＣｏＭＰ実施形態では、ダウンリンクチャネル（すなわち、ｅ−ＰＤＣＣＨおよび／またはＰＤＳＣＨ）は、ＵＥに３つのｅＮＢ（例えば、サービングｅＮＢ１０４、隣接ｅＮＢ１０６、および隣接ｅＮＢ１１６）からダウンリンクチャネルを受信できるようにする２つの隣接ｅＮＢに部分的にオフロードされてよい。これらの実施形態の幾つかでは、ネットワークは、Ｅ−ＵＴＲＡＮでよく、３ＧＰＰ  ＬＴＥ仕様リリース１１またはそれ以降の１または複数に従って動作してよい。ただし、これは必要条件ではない。
【００２０】
幾つかの実施形態では、ＵＥ１０２は、隣接ｅＮＢ（すなわち、隣接ｅＮＢ１０６および／または隣接ｅＮＢ１１６）からユーザ固有基準信号（ＵＥ固有のＲＳ）を受信するために、１または複数の大規模な物理層パラメータの推定（例えば、基準信号１０５および／または基準信号１１５から推定される）を適用してよく、ＵＥ固有のＲＳを使用して、隣接ｅＮＢから受信されるダウンリンクチャネル１０７の領域を復調してよい。更に、部分的にオフロードされる実施形態では、ＵＥ１０２は、１または複数の大規模な物理層パラメータ（例えば、基準信号１０３から推定される）の推定を、サービングｅＮＢ１０４からＵＥ固有のＲＳを受信するために適用してよく、ＵＥ固有のＲＳを使用して、サービングｅＮＢ１０４から受信されるダウンリンクチャネル１０７の領域を復調してよい。
【００２１】
ＵＥ固有のＲＳは、ｅ−ＰＤＣＣＨ  ＵＥ固有のＲＳおよび／またはＰＤＳＣＨ  ＵＥ固有のＲＳを含んでよい。ｅ−ＰＤＣＣＨ  ＵＥ固有のＲＳは、ＵＥ１０２により、ｅ−ＰＤＣＣＨの復調のために使用されてよい。ＰＤＳＣＨ  ＵＥ固有のＲＳは、ＵＥ１０２により、ＰＤＳＣＨの復調のために使用されてよい。ＵＥ固有のＲＳは、復調基準信号（ＤＭ−ＲＳ）でよい。
【００２２】
例示的な実施形態では、サービングｅＮＢ１０４は、ｅ−ＰＤＣＣＨがサービングｅＮＢ１０４、同様に２または複数の隣接ｅＮＢ（例えば、隣接ｅＮＢ１０６および隣接ｅＮＢ１１６）の両方から送信されることを示してよい。サービングｅＮＢ１０４は、ＵＥ１０２に、基準信号１０５を使用して、隣接ｅＮＢ１０６の１または複数の大規模な物理層パラメータを推定し、および基準信号１１５を使用して、隣接ｅＮＢ１１６の１または複数の大規模な物理層パラメータを推定することを示してよい。隣接ｅＮＢ１０６の推定された１または複数の大規模な物理層パラメータは、ｅＮＢ１０６からのｅ−ＰＤＣＣＨの復調処理のために使用され得るＵＥ固有のＲＳをｅＮＢ１０６から受信するために使用されてよい。隣接ｅＮＢ１１６の推定された１または複数の大規模な物理層パラメータは、ｅＮＢ１１６からのｅ−ＰＤＣＣＨの復調処理のために使用され得るＵＥ固有のＲＳをｅＮＢ１１６から受信するために使用されてよい。同様のアプローチが、ＰＤＳＣＨが少なくとも部分的にオフロードされると、適用されてよい。
【００２３】
幾つかの実施形態では、１または複数の大規模な物理層パラメータの推定は、例えば、記号検出および復調のために使用されてよい。ただし、実施形態の範囲はこれに限定されるものではない。幾つかの実施形態では、１または複数の大規模な物理層パラメータの推定は、オフロードされたチャネル（例えば、ｅ−ＰＤＣＣＨ  ＵＥ固有のＲＳまたはＰＤＳＣＨ  ＵＥ固有のＲＳ）に対するＵＥ固有のＲＳに基づくチャネル推定のために使用されてよい。
【００２４】
図２は、幾つかの実施形態によるタイミングミスマッチを示す。図２に示すように、フレーム２０４は、サービングｅＮＢ１０４（図１）のようなサービングｅＮＢから受信され、フレーム２０６は、隣接ｅＮＢ１０６（図１）のような隣接ｅＮＢから受信されてよい。タイミングオフセット２０８は、サービングｅＮＢ１０４およびＵＥ１０２（図１）の間ならびに隣接ｅＮＢ１０６およびＵＥ１０２の間の異なる伝播距離により、フレーム２０４および２０６の間に存在し得る。
【００２５】
実施形態によると、大規模な物理層パラメータがタイミングオフセット２０８のようなタイミングオフセットを含むと、サービングｅＮＢ１０４から受信されるシグナリングは、隣接ｅＮＢ１０６の基準信号１０５が、隣接ｅＮＢ１０６の１または複数のダウンリンクチャネル１０７に関連付けられるタイミング推定のために使用されることを示してよい。これらの実施形態では、ＵＥ１０２は、サービングｅＮＢ１０４の同期シーケンス（例えば、ＰＳＳおよび／またはＳＳＳ）の受信に基づいて初期タイミング同期を実行してよい。ＵＥ１０２は、そして、サービングｅＮＢ１０４からの基準信号１０３および隣接ｅＮＢ１０６の示された基準信号１０５の受信に基づいて、サービングｅＮＢ１０４のダウンリンクフレーム２０４および隣接ｅＮＢ１０６のダウンリンクフレーム２０６の間のタイミングオフセット２０８を推定してよい。ＵＥ１０２は、推定されたタイミングオフセットを、隣接ｅＮＢ１０６により提供される１または複数のダウンリンクチャネル１０７を処理するために適用してよい。図２に示すように、タイミングオフセット２０８は、サイクリックプレフィックス（ＣＰ）２０９の長さに限定され得る。
【００２６】
幾つかの実施形態では、サービングｅＮＢ１０４からのシグナリングは、特定のダウンリンクチャネル（例えば、ｅ−ＰＤＣＣＨ）も隣接ｅＮＢ１０６により送信されると、隣接ｅＮＢ１０６からの基準信号がタイミング推定のために使用されることを示してもよい。これらのＣｏＭＰ実施形態では、たとえ、サービングｅＮＢ１０４の基準信号（例えば、ＣＲＳ）および隣接ｅＮＢ１０６のｅ−ＰＤＣＣＨの間にタイミングミスマッチがあるとしても、タイミングオフセットがＵＥ１０２により推定され、補償されるため、ＵＥ１０２は、隣接ｅＮＢ１０６からのｅ−ＰＤＣＣＨ  ＵＥ固有のＲＳを使用して、隣接ｅＮＢ１０６から受信されるｅ−ＰＤＣＣＨを処理してよい。サービングｅＮＢ１０４の基準信号（例えば、ＣＲＳ）および隣接ｅＮＢ１０６の基準信号（例えば、ｅ−ＰＤＣＣＨ処理のためのｅ−ＰＤＣＣＨ  ＵＥ固有のＲＳ）の間のあらゆるタイミングミスマッチを補償することにより、タイミングミスマッチのようなあらゆるネガティブな効果が回避され得る。
【００２７】
幾つかの実施形態では、チャネル推定手順は、隣接ｅＮＢ１０６により送信されるＵＥ固有のＲＳに実行されてよい。大規模な物理層パラメータの推定は、例えば、ＵＥ固有のＲＳチャネル推定手順のためにＵＥ１０２により使用されてよい。
【００２８】
幾つかの実施形態では、少なくとも部分的にオフロードされる１または複数のダウンリンクチャネルは、領域またはセットに区画化されてよい。各領域は、ＣｏＭＰオペレーションに関与しているｅＮＢの１つにより送信されてよい。ＵＥ１０２は、どのリソースブロックが、サービングｅＮＢ１０４から送信される１または複数のダウンリンクチャネル（例えば、ｅ−ＰＤＣＣＨおよび／またはＰＤＳＣＨ）の領域を備えるかを示すサービングｅＮＢ１０４からシグナリングを受信してよい。ＵＥ１０２は、１または複数の隣接ｅＮＢにより送信される１または複数のダウンリンクチャネルの領域を備えるリソースブロックを示すシグナリングを受信してもよい。これらの実施形態では、ＵＥ１０２は、異なる処理を（すなわち、タイミングオフセット補償のアプリケーションを含む１または複数の大規模な物理層パラメータに対する）オフロードされたダウンリンクチャネルの各領域に独立に適用してよい。
【００２９】
幾つかの実施形態では、ｅ−ＰＤＣＣＨの領域はセットとして参照されてよい。幾つかの実施形態では、ＰＤＳＣＨの領域は、リソースブロックの割り当てでよい。
【００３０】
幾つかの実施形態では、ｅ−ＰＤＣＣＨが複数の領域（すなわち、セット）を含むと、ＣＳＩ−ＲＳリソースが、ＣｏＭＰオペレーションに関与しているｅＮＢに送信されて固有のものとなるｅ−ＰＤＣＣＨの各領域（またはセット）に対して構成される、または示されてよい。これらの実施形態では、複数のｅ−ＰＤＣＣＨ領域構成がＵＥ１０２に送信されてよい。各構成は、それ自体の基準信号の構成または指示を有してよい。以下にその例を示す。
ｅ−ＰＤＣＣＨ−Ｃｏｎｆｉｇ−Ｓｅｔ−ｒ１１：：＝ＣＨＯＩＣＥ｛
…
ｃｓｉＲｓＩｎｄｅｘ−ｒ１１  ＩＮＴＥＧＥＲ（０．．３），
ｐｈｙｓＣｅｌｌＩｄ−ｒ１１  ＰｈｙｓＣｅｌｌＩｄ，
…
｝この例では、ＣＳＩ−ＲＳインデックスが、ＣＳＩ−ＲＳの構成の代わりに使用される。ＣＳＩ−ＲＳインデックスは、制御メッセージにより構成される特定のＣＳＩ−ＲＳを示す。
【００３１】
幾つかの実施形態では、ＵＥ１０２は、（サービングｅＮＢ１０４および１または複数の隣接ｅＮＢを含む）ＣｏＭＰオペレーションに係る各ｅＮＢのＣＳＩ−ＲＳ（すなわち、ＣｏＭＰ測定セットの）に基づいて、ＣＳＩフィードバックを計算してよい。ＵＥ１０２は、ＣＳＩフィードバックをサービングｅＮＢ１０４に送信してよい。これらの実施形態のうちの幾つかでは、隣接ｅＮＢに対するＣＳＩフィードバックは、例えば、（Ｘ２インターフェースを介して）サービングｅＮＢ１０４に送信されてよい。幾つかの実施形態では、ＣｏＭＰ測定セットのＣＳＩ−ＲＳのセットは、ＵＥ１０２に対して構成され、サービングｅＮＢ１０４により提供されてよい。
【００３２】
図３は、幾つかの実施形態によるＵＥの機能ブロック図である。他のＵＥ構成も好適であり得るが、ＵＥ３００がＵＥ１０２（図１）として使用するのに好適であり得る。ＵＥ３００は、少なくとも２またはそれ以上のｅＮＢと通信するためのトランシーバ３０４、および本明細書に記載されるオペレーションのうちの少なくとも幾つかを実行するよう構成された処理回路３０２を含む。ＵＥ３００は、メモリおよび個々に図示されない他の要素を含んでもよい。処理回路３０２は、ｅＮＢへの送信のために、後で議論される幾つかの異なるフィードバック値を決定するよう構成されてもよい。処理回路は、メディアアクセス制御（ＭＡＣ）層を含んでもよい。幾つかの実施形態では、ＵＥ３００は、キーボード、ディスプレイ、不揮発性メモリポート、複数のアンテナ、グラフィクスプロセッサ、アプリケーションプロセッサ、スピーカ、および他のモバイルデバイス要素のうちの１または複数を含んでよい。ディスプレイは、タッチスクリーンを含むＬＣＤスクリーンでよい。
【００３３】
幾つかの実施形態によると、処理回路３０２は、１または複数の隣接ｅＮＢからの示された基準信号の受信に基づいて、１または複数の大規模な物理層パラメータを推定するよう構成されてよい。例えば、ＵＥ３００は、隣接ｅＮＢ１０６からの基準信号１０５の受信からの第１タイミングオフセットを推定し、隣接ｅＮＢ１１６からの基準信号１１５の受信からの第２タイミングオフセットを推定してよい。処理回路３０２は、推定されたタイミングオフセットを、隣接ｅＮＢからの１または複数のダウンリンクチャネル１０７を処理するために適用してよい。例えば、処理回路３０２は、隣接ｅＮＢ１０６からのＵＥ固有のＲＳ（例えば、ｅ−ＰＤＣＣＨ  ＵＥ固有のＲＳ）の受信に対して基準信号１０５から推定された第１タイミングオフセットを適用し、隣接ｅＮＢ１０６からのＵＥ固有のＲＳを使用して、隣接ｅＮＢ１０６から受信されるダウンリンクチャネルの領域（例えば、ｅ−ＰＤＣＣＨの特定セット）を復調してよい。更に、ＵＥ１０２は、隣接ｅＮＢ１１６からのＵＥ固有のＲＳ（例えば、ｅ−ＰＤＣＣＨ  ＵＥ固有のＲＳ）の受信に対して基準信号１１５から推定される第２タイミングオフセットを適用し、隣接ｅＮＢ１１６からのＵＥ固有のＲＳを使用して、隣接ｅＮＢ１１６から受信されるダウンリンクチャネルの領域（例えば、ｅ−ＰＤＣＣＨの特定セット）を復調してよい。更に、処理回路３０２は、サービングｅＮＢ１０４からのＵＥ固有のＲＳ（例えば、ｅ−ＰＤＣＣＨ  ＵＥ固有のＲＳ）の受信に対して基準信号１０３から推定されるタイミングを適用し、サービングｅＮＢ１０４からのＵＥ固有のＲＳを使用して、サービングｅＮＢ１０４から受信されるダウンリンクチャネルの領域（例えば、ｅ−ＰＤＣＣＨの特定セット）を復調してよい。
【００３４】
実施形態によると、隣接ｅＮＢ１０６により送信されるｅ−ＰＤＣＣＨおよび／またはＰＤＳＣＨの記号検出および復調に対して、ＣＲＳのような、サービングｅＮＢ１０４からの基準信号１０３に基づいて１または複数の大規模な物理層パラメータを推定するよりも、むしろ、ＵＥ３００は、隣接ｅＮＢ１０６により送信されるｅ−ＰＤＣＣＨおよび／またはＰＤＳＣＨの記号検出および復調に対して隣接ｅＮＢ１０６の示された基準信号１０５の受信に基づいて１または複数の大規模な物理層パラメータを推定してよい。それにより、隣接ｅＮＢ１０６により送信されるｅ−ＰＤＣＣＨおよび／またはＰＤＳＣＨの改善された記号検出および復調が実現され得る。サービングｅＮＢ１０４により送信される基準信号に基づくこれらの大規模な物理層パラメータの任意の１または複数の従来の推定は、不十分な性能をもたらし得る。
【００３５】
ＵＥ３００により利用される１または複数のアンテナは、例えば、ダイポールアンテナ、モノポールアンテナ、パッチアンテナ、ループアンテナ、マイクロストリップアンテナ、またはＲＦ信号の送信に好適な他のタイプのアンテナを含む１または複数の指向性または無指向性アンテナを備えてよい。幾つかの多入力多出力（ＭＩＭＯ）実施形態では、アンテナは、アンテナのそれぞれと送信局のアンテナとの間に生じ得る空間ダイバーシティおよび異なるチャネル特性の利点を得るために、効果的に分離されてよい。
【００３６】
ＵＥ３００は幾つかの別個の機能要素を有するものとして示されるが、機能要素の１または複数は組み合わされてよく、デジタル信号プロセッサ（ＤＳＰ）および／または他のハードウェア要素を含む処理要素のようなソフトウェア構成要素の組み合わせにより実装されてよい。例えば、幾つかの要素は、１または複数のマイクロプロセッサ、ＤＳＰ、特定用途向け集積回路（ＡＳＩＣ）、無線周波数集積回路（ＲＦＩＣ）ならびに少なくとも本明細書に記載される機能を実行するための様々なハードウェアおよび論理回路の組み合わせを備えてよい。幾つかの実施形態では、機能要素は、１または複数の処理要素上で動作する１または複数の処理を参照してよい。
【００３７】
幾つかの実施形態では、ＵＥ３００は、ＯＦＤＭＡ通信技術に従うマルチキャリア通信チャネルを介してＯＦＤＭ通信信号を送信および受信するよう構成されてよい。ＯＦＤＭ信号は、複数の直交サブキャリアを備えてよい。幾つかのＬＴＥ実施形態では、ワイヤレスリソースの基本ユニットは、物理リソースブロック（ＰＲＢ）である。ＰＲＢは、周波数領域に１２サブキャリア×時間領域に０．５ミリ秒を備えてよい。ＰＲＢは、（時間領域において）２つ一組で割り当てられてよい。これらの実施形態では、ＰＲＢは、複数のリソース要素（ＲＥ）を備えてよい。ＲＥは、１サブキャリア×１シンボルを備えてよい。
【００３８】
幾つかの実施形態では、ＵＥ３００は、携帯用情報端末（ＰＤＡ）、ワイヤレス通信機能を有するラップトップまたはポータブルコンピュータ、ウェブタブレット、無線電話、無線ヘッドセット、ページャ、インスタントメッセージング装置、デジタルカメラ、アクセスポイント、テレビ、医療機器（例えば、心拍数モニタ、血圧モニタ等）、または無線で情報を受信および／または送信し得る他の装置のようなポータブルワイヤレス通信装置の一部でよい。
【００３９】
幾つかのＵＴＲＡＮ  ＬＴＥ実施形態では、ＵＥ３００は、閉ループ空間多重化送信モードに対してチャネル適応を実行するために使用され得る幾つかの異なるフィードバック値を計算してよい。これらのフィードバック値は、チャネル品質インジケータ（ＣＱＩ）、ランクインジケータ（ＲＩ）、およびプレコーディングマトリックスインジケータ（ＰＭＩ）を含んでよい。ＣＱＩにより、送信機は、幾つかの変調アルファベットおよび符号化レートの組み合わせの一方を選択する。ＲＩは、現ＭＩＭＯチャネルに対する有用な送信層の数を送信機に知らせ、ＰＭＩは、送信機で適用されるプレコーディングマトリックス（送信アンテナの数に依存する）のコードブックインデックスを示す。ｅＮＢにより使用される符号化レートは、ＣＱＩに基づいてよい。ＰＭＩは、ＵＥにより計算され、ｅＮＢに報告されるベクトルまたはマトリックスでよい。幾つかの実施形態では、ＵＥは、ＣＱＩ／ＰＭＩまたはＲＩを含むフォーマット２、２ａまたは２ｂの物理アップリンク制御チャネル（ＰＵＣＣＨ）を送信してよい。
【００４０】
図４Ａから図４Ｃは、幾つかの実施形態による様々なＣｏＭＰシナリオを示す。図４Ａに、同種ネットワークがサイト内ＣｏＭＰオペレーションを実行するＣｏＭＰシナリオ１が示される。このシナリオでは、各ｅＮＢ４０２は、それが扱うセル内であり得るその調整区域４０５内でサイト内ＣｏＭＰを実行してよい。図４Ｂに、ＣｏＭＰオペレーションを実行する高出力の遠隔無線ヘッド（ＲＲＨ）４１４を有する同種ネットワークが調整区域４１５内で動作するＣｏＭＰシナリオ２が示される。ＣｏＭＰシナリオ２では、ＲＲＨ４１４は、光ファイバリンクのような高帯域リンク４１６により連結されてよい。調整区域４１５は、複数のセルを備えてよい。
【００４１】
図４Ｃに、異種ネットワークが、マクロセルにカバレージエリア４２５を提供する高出力ｅＮＢ４２２内でＣｏＭＰオペレーションを実行する低出力ＲＲＨ４２４を含むＣｏＭＰシナリオ３および４が示される。ただし、送信および受信ポイントはＲＲＨ４２４および高出力ｅＮＢ４２２により提供される。ＣｏＭＰシナリオ３および４では、単一ｅＮＢ４２２が、カバレージエリア４２５内でＣｏＭＰオペレーションを実行してよい。ＣｏＭＰシナリオ３では、ＲＲＨ４２４は、マクロセルより異なるセルＩＤを有してよい。ＣｏＭＰシナリオ４では、ＲＲＨ４２４は、マクロセルのセルＩＤとして同じセルＩＤを有してよい。ＣｏＭＰシナリオ３および４では、ＲＲＨ４２４は、光ファイバリンクのような高帯域リンク４２６によりｅＮＢ４２２に連結されてよい。各ＲＲＨ４２４は、示されるように、マクロまたはピコセル内での通信を提供してよい。
【００４２】
ＣｏＭＰシナリオ１−４では、ｅ−ＰＤＣＣＨ  ＵＥ固有のＲＳアンテナポートは、ＣｏＭＰリソース管理セットのＣＳＩ−ＲＳの１つを用いるシグナリングを介してリンクされてよい。ＣｏＭＰシナリオ１−３に対する幾つかの実施形態では、ｅ−ＰＤＣＣＨ  ＵＥ固有のＲＳは、他のセル基準信号（例えば、ＰＳＳ／ＳＳＳ／ＣＲＳ）を用いて（物理セル識別構成により）リンクされて、ｅ−ＰＤＣＣＨ処理に対してタイミング基準（または１または複数の他の大規模な特性への基準）を提供してよい。幾つかの他の基準信号（例えば、ＣＳＩ−ＲＳ、ＰＳＳ，ＳＳＳ，またはＣＲＳ）へのＵＥ固有のＲＳのリンケージは、続くｅ−ＰＤＣＣＨ処理に対する示された基準信号上で推定されたタイミング（または他の大規模な物理層パラメータ）の使用を可能とする。
【００４３】
（サービングｅＮＢ１０４からのＣＳＩ−ＲＳおよび隣接ｅＮＢ１０６からのＣＳＩ−ＲＳを含み得る）ＣｏＭＰ測定セットに対して、ＵＥ１０２は、ＣｏＭＰオペレーションに係る各ｅＮＢからのＣＳＩ−ＲＳの受信に基づいてＣＳＩフィードバックを提供してよい。ＣｏＭＰリソース管理セットに対して、ＵＥは、基準信号受信出力のようなより基本的な情報を提供する。
【００４４】
幾つかの実施形態では、サービングｅＮＢ１０４は、ＵＥ固有のＲＳ（すなわち、ｅ−ＰＤＣＣＨ  ＵＥ固有のＲＳおよびＰＤＳＣＨ  ＵＥ固有のＲＳ）を構成するための隣接ｅＮＢ１０６による使用のために、隣接ｅＮＢ１０６に対するＣＳＩフィードバックを、隣接ｅＮＢに、バックホールネットワーク（例えば、Ｘ２インターフェース）を介して提供する。代わりに、サービングｅＮＢ１０４ではなく、マスターｅＮＢまたは中央処理ユニットがすべてのＣｏＭＰ処理を実行してよい。
【００４５】
幾つかの実施形態では、ＵＥ１０２は、サービングｅＮＢ１０４のＣＳＩ−ＲＳに基づいてＣＳＩフィードバックを計算し、（サービングｅＮＢに対する）ＣＳＩフィードバックをサービングｅＮＢ１０４に送信してよく、ＵＥは、ＣｏＭＰオペレーションに係る１または複数の隣接ｅＮＢ１０６のＣＳＩ−ＲＳに基づいて（隣接ｅＮＢに対して）ＣＳＩフィードバックを計算し、（隣接ｅＮＢに対する）ＣＳＩフィードバックをサービングｅＮＢ１０４に送信してよい。
【００４６】
幾つかの実施形態では、ＵＥ１０２は、ｅ−ＰＤＣＣＨの記号検出および復調に対して、ｅ−ＰＤＣＣＨ  ＵＥ固有のＲＳから判断されるチャネル情報を使用してよい。ＵＥ固有のＲＳはＵＥ固有の基準信号であり、これらの実施形態において、ｅＮＢは、対応するＵＥに対してビームフォーミングマトリックスにより増大された後に、リソース割り当て内ですべてのリソースブロック（ＲＢ）におけるＵＥ固有のＲＳを送信してよい。ｅＮＢは、ＵＥからのＣＳＩフィードバックを使用して、ビームフォーミングマトリックスを生成してよい。これらの実施形態では、ＵＥ１０２は、隣接ｅＮＢ１０６から受信されるｅ−ＰＤＣＣＨの復調および記号検出のために、隣接ｅＮＢ１０６からのｅ−ＰＤＣＣＨ  ＵＥ固有のＲＳを使用してよく、ＵＥ１０２は、隣接ｅＮＢ１０６から受信されるＰＤＳＣＨの復調および記号検出のために、隣接ｅＮＢ１０６からのＰＤＳＣＨ  ＵＥ固有のＲＳを使用してよい。
【００４７】
幾つかの実施形態では、ＵＥ１０２は、単一ＦＦＴ処理ステップにおいて、異なるｅＮＢの信号（例えば、ＣＳＩ−ＲＳ、ＣＲＳ、ｅ−ＰＤＣＣＨ領域（セット）、ＰＤＳＣＨのリソースブロック、およびＵＥ固有のＲＳ）を処理する単一高速フーリエ変換（ＦＦＴ）処理をするよう構成されてよい。ＣｏＭＰオペレーションにおいて、ＰＤＳＣＨ、ｅ−ＰＤＣＣＨ、ＰＤＣＣＨ、ＣＲＳ、同様にその他の信号は異なるｅＮＢから送信され得るが、ＵＥ１０２は、サービングｅＮＢ１０４からのＣＲＳのタイミングに対応するよう構成され得る単一ＦＦＴ演算を使用してよい。この方法では、他の基準信号およびチャネル（隣接ｅＮＢ１０６により送信される）のパラメータ間の可能なミスマッチは、ＦＦＴ後の周波数領域において個別に補償され得る。代わりに、ＵＥ１０２は、各チャネルまたは基準信号の受信タイミングに応じて、複数のＦＦＴ（すなわち、同じＯＦＤＭシンボルに対して）をとってもよいが、これは追加の処理の複雑さをもたらし得る。幾つかの実施形態では、ＵＥ３００（図３）の処理回路３０２は、ＦＦＴ演算を実行するよう構成されてよい。
【００４８】
幾つかの実施形態では、１または複数の隣接ｅＮＢにより提供される１または複数のダウンリンクチャネル１０７に関連する１または複数の大規模な物理層パラメータを推定するために使う隣接ｅＮＢ１０６の基準信号（すなわち、隣接ｅＮＢ１０６の基準信号１０５および／または隣接ｅＮＢ１１６の基準信号１１５）を示すためのサービングｅＮＢ１０４から提供されるシグナリングは、無線リソース制御（ＲＲＣ）層シグナリングを使用して提供されてよい。これらの実施形態では、ＲＲＣ層シグナリングは、ＣｏＭＰリソース管理セットの基準ＣＳＩ−ＲＳリソースインデックスの構成または隣接ｅＮＢの基準信号（例えば、ＰＳＳ／ＳＳＳ／ＣＲＳ）の基準物理セル識別の構成を示してよい。これらの実施形態の幾つかでは、ＣＳＩ−ＲＳリソースの別のセットがＣｏＭＰ測定セットの一部としてＵＥ１０２に対して構成されてよい。この場合、ＣｏＭＰ測定セットは、基準ＣＳＩ−ＲＳリソースの構成のために使用することもできる。以下は、ｅ−ＰＤＣＣＨを構成するための例である。
ｅ−ＰＤＣＣＨ−Ｃｏｎｆｉｇ−ｒ１１：：＝ＣＨＯＩＣＥ｛
…
ｍｅａｓＳｅｔＣｓｉＲｓＩｎｄｅｘ−ｒ１１  ＩＮＴＥＧＥＲ（０．．３），  
ｐｈｙｓＣｅｌｌＩｄ−ｒ１１  ＰｈｙｓＣｅｌｌＩｄ，
…
｝
【００４９】
これらの実施形態のうちの幾つかでは、ＲＲＣ層シグナリングを使用して実行されるリンケージ（またはコロケーションシグナリング）は、次の例に示すようなＣｏＭＰリソース管理セットの基準ＣＳＩ−ＲＳリソースインデックスの構成を含み、または他のセルのＰＳＳ／ＳＳＳ／ＣＲＳの基準物理セル識別の構成を含んでよい。例。
ｅ−ＰＤＣＣＨ−Ｃｏｎｆｉｇ−ｒ１１：：＝ＣＨＯＩＣＥ｛
…
ｍａｎａｇｍｅｎｔＣｓｉＲｓＩｎｄｅｘ−ｒ１１  ＩＮＴＥＧＥＲ（０．．３１），
ｐｈｙｓＣｅｌｌＩｄ−ｒ１１  ＰｈｙｓＣｅｌｌＩｄ，
…
｝
【００５０】
幾つかの代わりの実施形態では、１または複数の大規模な物理層パラメータの推定に使用する１または複数の隣接ｅＮＢの基準信号を示すシグナリングは、ＭＡＣ層シグナリングを使用して提供されてよい。ただし、実施形態の範囲はこれに限定されるものではない。
【００５１】
幾つかの実施形態では、ＰＤＳＣＨが少なくとも部分的にオフロードされると、ＰＤＳＣＨに対するシグナリングは、ダウンリンク制御情報（ＤＣＩ）における物理（ＰＨＹ）層シグナリングを使用して提供される。これらの実施形態では、ＰＤＳＣＨデコーディングがＤＣＩデコーディング後に実行されるように、ＤＣＩベースシグナリングが使用され得る。一方、ｅ−ＰＤＣＣＨデコーディングはＤＣＩデコーディングの前に実行されてよいため（すなわち、ｅ−ＰＤＣＣＨがまず処理されて、ＤＣＩをデコードする）、ＤＣＩベースシグナリングは、ｅ−ＰＤＣＣＨに対して好適でないかもしれない。
【００５２】
幾つかの実施形態では、大規模な物理層パラメータの推定（例えば、タイミング推定を含む）に対して示される基準信号は、それぞれの異なるｅ−ＰＤＣＣＨ領域またはセットに対して個別に構成されてよい。共通且つＵＥ固有のサーチスペース、局在且つ分散されたｅ−ＰＤＣＣＨ割り当てに対して個別に構成することとしてもよい。幾つかの実施形態では、示された基準信号は、チャネル推定に対する周波数オフセット補償、ＳＩＮＲ、ドップラーおよび出力遅延プロファイル推定のようなｅ−ＰＤＣＣＨ処理における他の目的のために使用されてもよい。幾つかの実施形態では、指示またはシグナリングが提供されないと、ＵＥ１０２は、サービングｅＮＢ１０４の基準信号（例えば、ＰＳＳ／ＳＳＳ／ＣＲＳ）から導出されるデフォルトのパラメータ推定（デフォルトのタイミングを含む）を使用するよう構成されてよい。
【００５３】
幾つかの実施形態では、ＣｏＭＰ測定セットのＣＳＩ−ＲＳは、コロケーションシグナリングに対して考慮されてよい。これらの実施形態では、ＣＳＩ−ＲＳインデックスは、ｅ−ＰＤＣＣＨ  ＵＥ固有のＲＳ処理に対してＣｏＭＰ測定セットの特定のコロケートされたＣＳＩ−ＲＳリソースを示すために、ｅ−ＰＤＣＣＨ構成の一部として伝送されるＲＲＣでよい。推定された出力遅延プロファイル、タイミング、周波数オフセット、および／または示されたまたは構成されたＣＳＩ−ＲＳのＣＳＩ−ＲＳ上で推定されたドップラー拡散は、ｅ−ＰＤＣＣＨ処理のためにＵＥ１０２により使用されてよい。
【００５４】
代わりに、ＣＳＩ−ＲＳインデックスを含むＣＳＩ処理およびＣＳＩ干渉測定（ＣＳＩ−ＩＭ）のような干渉測定リソース（ＩＭＲ）がコロケーションシグナリングに対して使用されてよい。これらの実施形態では、ＩＭＲで推定された干渉（出力遅延プロファイル、タイミング、周波数オフセット、および／またはＣＳＩ−ＲＳで推定されたドップラー拡散に加えて）は、ｅ−ＰＤＣＣＨ  ＵＥ固有のＲＳで観測される予測干渉およびＳＩＮＲを予測するために使用されてよい。これらの実施形態では、ＣＳＩ処理インデックスが、ＲＲＣシグナリングをｅ−ＰＤＣＣＨ領域またはセット構成の一部として使用して、ＵＥに（ＣＳＩ−ＲＳインデックスに代えて）伝送されてよい。
【００５５】
ＣＲＳコロケーションシグナリングの場合、ＵＥ固有のＲＳスクランブル初期化シードの値は、コロケーションに対するＣＲＳの物理セルＩＤを示すために使用されてよい。このシグナリングは、暗黙としてよく、ＵＥ固有のＲＳコロケーションシグナリングのためのｅ−ＰＤＣＣＨにおける新たなフィールドを必要とすることに注意されたい。これらの実施形態では、上記のコロケーションシグナリングは、異なるｅ−ＰＤＣＣＨ領域／セット、局在且つ分散されたｅ−ＰＤＣＣＨ割り当て、同様に共通且つＵＥ固有のサーチスペースに対して異なってよい。
【００５６】
幾つかの実施形態では、ＰＳＳおよびＳＳＳは、セル内でその物理層識別を用いてＵＥ１０２を提供してよい。これらの信号は、セル内の周波数および時間同期を提供してもよい。ＰＳＳは、Ｚａｄｏｆｆ−Ｃｈｕ（ＺＣ）シーケンスから構築され、シーケンスの長さは、周波数領域において予め定められてよい（例えば、６２）。ＳＳＳは、所定長さ（例えば、３１）の２つのインターリーブシーケンス（すなわち、最大長シーケンス（ＭＬＳ），シフト−レジスタ生成（ＳＲＧ）シーケンスまたはｍ−シーケンス）を使用してよい。ＳＳＳは、物理層ＩＤを判断するＰＳＳを用いてスクランブルされてよい。ＳＳＳは、セルＩＤ、フレームタイミング特性、およびサイクリックプレフィックス（ＣＰ）長さについての情報をＵＥに提供してよい。ＵＥ１０２は、時間分割複信（ＴＤＤ）または周波数分割複信（ＦＤＤ）を使用するかどうかを通知してもよい。ＦＤＤでは、ＰＳＳは、次のシンボル内のＳＳＳに続くフレームの第１及び第１１スロット内の最後のＯＦＤＭシンボル内に位置してよい。ＴＤＤでは、ＰＳＳは、ＳＳＳが３シンボル先に送信され得る限り、第３および第１３スロットの第３シンボル内で送信されてよい。ＰＳＳは、ＵＥ１０２に、物理層の３つのグループ（例えば、１６８物理層のうちの３つのグループ）のいずれにセルが属するかについての情報を提供してよい。１６８ＳＳＳシーケンスの１つは、ＰＳＳの直後にデコードされてよく、セルグループ識別を直接定義してよい。
【００５７】
幾つかの実施形態では、ＵＥ１０２は、ＰＤＳＣＨ受信に対して１０の「送信モード」の１つに構成されてよい。モード１、シングルアンテナポート、ポート０。モード２、送信ダイバーシティ。モード３、大遅延ＣＤＤ。モード４、閉ループ空間多重化。モード５、ＭＵ−ＭＩＭＯ。モード６、閉ループ空間多重化、単一層。モード７、シングルアンテナポート、ＵＥ固有のＲＳ（ポート５）。モード８,９,１０、ＵＥ固有のＲＳを用いる単一または二層送信（ポート７および／または８）。
【００５８】
幾つかの実施形態では、ＣＳＩ−ＲＳは、チャネル状態情報測定に対して（例えば、ＣＱＩフィードバックに対して）ＵＥ１０２により使用されてよい。幾つかの実施形態では、ＣＳＩ−ＲＳは、ＭＩＭＯチャネルの推定に使用するために異なるサブキャリア周波数（ＵＥに割り当てられた）にて特定のアンテナポート（例えば、最大８の送信アンテナポート）において、定期的に送信されてよい。幾つかの実施形態では、ＵＥ固有の基準信号は、非コードブックベースのプリコーディングが適用されると、データと同じようにプリコードされ得る。ただし、これは必要条件ではない。
【００５９】
実施形態によると、用語「アンテナポート」は、１または複数のｅＮＢ（またはＲＲＨ）の１または複数の物理アンテナに対応し得るｅＮＢの論理アンテナを参照してよい。アンテナポートおよび物理アンテナ間の対応は、特定のｅＮＢ実装に依存し得る。例えば、１つの論理アンテナポートは、ビームフォーミングを用いて複数の物理アンテナからの送信を構成してよい。ただし、ＵＥ１０２は、ｅＮＢによって使用される論理および物理アンテナ間の実際のビームフォーミングおよび／またはマッピングについて認識しなくてもよい。幾つかの実施形態では、アンテナポートは、チャネル推定がＵＥ１０２により実行され得る論理アンテナでよい。幾つかの実施形態では、１つの物理アンテナと１つのアンテナポートとの間の１対１のマッピングがあってよい。ただし、これは必要条件ではない。
【００６０】
幾つかの実施形態によると、１つのアンテナポート上のシンボルがそれを介して伝達されるチャネルの大規模な物理層特性が、他のアンテナポート上のシンボルがそれを介して伝達されるチャネルから推量することができると、２つのアンテナポートは疑似コロケートされると考えられ得る。幾つかの実施形態では、ＣＲＳはアンテナポート０、１、２、３を使用して送信されてよく、ＣＳＩ−ＲＳはアンテナポート１５、１６、１７、１８、１９、２０、２１、２２を使用して送信されてよく、ＰＤＳＣＨ  ＵＥ固有のＲＳはアンテナポート７、８を使用して送信されてよく、ｅ−ＰＤＣＣＨ  ＵＥ固有のＲＳはアンテナポート１０７、１０８、１０９、１１０を使用して送信されてよい。ただし、実施形態の範囲はこれに限定されるものではない。
【００６１】
図５は、幾つかの実施形態によるＣｏＭＰオペレーションのためのアンテナポート疑似コロケーションシグナリングの手順を示す。手順５００は、ＣｏＭＰオペレーションに対してＵＥ１０２（図１）のようなＵＥにより実行され得る。
【００６２】
オペレーション５０１では、ＵＥ１０２は、サービングｅＮＢ１０４（図１）からシグナリングを受信して、１または複数の基準信号（すなわち、隣接ｅＮＢ１０６の基準信号１０５および／または隣接ｅＮＢ１１６の基準信号１１５）を示し、少なくとも部分的にオフロードされ、１または複数の隣接ｅＮＢにより提供される１または複数のダウンリンクチャネル１０７（図１）に関連する１または複数の大規模な物理層パラメータ（例えば、タイミングオフセット）の独立推定に使用する。
【００６３】
オペレーション５０２では、ＵＥ１０２は、１または複数の隣接ｅＮＢからの示された基準信号の受信に基づいて、１または複数の大規模な物理層パラメータを推定してよい。例えば、ＵＥ１０２は、基準信号１０５の受信からの第１タイミングオフセットを独立に推定し、基準信号１１５の受信からのタイミングオフセットを独立に推定してよい。
【００６４】
オペレーション５０４では、ＵＥ１０２は、推定された１または複数の大規模な物理層パラメータを、隣接ｅＮＢからの１または複数のダウンリンクチャネル１０７を処理するために適用してよい。例えば、ＵＥ１０２は、基準信号１０５から推定される第１タイミングオフセットを隣接ｅＮＢ１０６からのＵＥ固有のＲＳ（例えば、ｅ−ＰＤＣＣＨ  ＵＥ固有のＲＳ）の受信に対して適用してよく、隣接ｅＮＢ１０６からのＵＥ固有のＲＳを使用して、隣接ｅＮＢ１０６から受信されるダウンリンクチャネル（例えば、ｅ−ＰＤＣＣＨ）の領域を復調してよい。更に、ＵＥ１０２は、基準信号１１５から推定される第２タイミングオフセットを隣接ｅＮＢ１１６からのＵＥ固有のＲＳ（例えば、ｅ−ＰＤＣＣＨ  ＵＥ固有のＲＳ）の受信に対して適用してよく、隣接ｅＮＢ１１６からのＵＥ固有のＲＳを使用して、隣接ｅＮＢ１１６から受信されるダウンリンクチャネル（例えば、ｅ−ＰＤＣＣＨ）の領域を復調してよい。この例では、サービングｅＮＢ１０４および隣接ｅＮＢから受信されるダウンリンクチャネルの領域またはセットの復調の後、復調された情報が、改善された受信および／または帯域幅を提供することで組み合わされ得る。
【００６５】
実施形態は、ハードウェア、ファームウェア、およびソフトウェアのうちの１つまたは組み合わせにおいて実装され得る。実施形態は、本明細書に記載されたオペレーションを実行する少なくとも１つのプロセッサにより読み取られて実行され得る、コンピュータ可読記憶デバイス上に格納された複数の命令として実装されてもよい。コンピュータ可読記憶デバイスは、機械（例えば、コンピュータ）により読み取り可能な形式で情報を格納するための任意の非一時的なメカニズムを含んでよい。例えば、コンピュータ可読記憶デバイスは、リードオンリメモリ（ＲＯＭ）、ランダムアクセスメモリ（ＲＡＭ）、磁気ディスク記憶メディア、光記憶メディア、フラッシュメモリデバイス、ならびに他の記憶デバイスおよびメディアを含んでよい。幾つかの実施形態では、ＵＥ３００（図３）は、１または複数プロセッサを含んでよく、コンピュータ可読記憶デバイス上に格納された命令を用いて構成されてよい。
【００６６】
要約は、読者が技術的開示の本質および要点を確認できるようにする要約を要求する３７ＣＦＲ１．７２（ｂ）章に準拠するために提供される。それは、特許請求の範囲またはその意味を限定または解釈するために使用されるものではないと理解して提出される。以下の特許請求の範囲は、これによって、別個の実施形態として独立している各請求項とともに、詳細な説明に組み込まれる。
本明細書によれば、以下の各項目に記載の構成もまた開示される。
［項目１］
１または複数のダウンリンクチャネルがサービング進化型ノードＢ（サービングｅＮＢ）から１または複数の隣接ｅＮＢに少なくとも部分的にオフロードされるマルチポイント協調（ＣｏＭＰ）オペレーションのためのユーザ機器（ＵＥ）であって、
隣接ｅＮＢの基準信号を示す前記サービングｅＮＢからシグナリングを受信して、前記隣接ｅＮＢにより提供される前記１または複数のダウンリンクチャネルに関連する１または複数の大規模な物理層パラメータの推定に使い、
前記隣接ｅＮＢから、示された前記基準信号の受信に基づいて前記１または複数の大規模な物理層パラメータを推定し、
前記隣接ｅＮＢから前記１または複数のダウンリンクチャネルの複数の領域を処理するために、推定された前記１または複数の大規模な物理層パラメータを適用する、ＵＥ。
［項目２］
前記ＵＥは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）内でのＣｏＭＰオペレーションのためのものであり、
示された前記基準信号は、チャネル状態情報基準信号（ＣＳＩ−ＲＳ）を含むＣｏＭＰ測定セットの基準信号であり、
前記１または複数のダウンリンクチャネルは、物理ダウンリンク共有チャネル（ＰＤＳＣＨ）および拡張物理ダウンリンク制御チャネル（ｅ−ＰＤＣＣＨ）のうちの少なくとも一方を含む、項目１に記載のＵＥ。
［項目３］
前記ＵＥは、前記隣接ｅＮＢからＵＥ固有のＲＳの受信のための前記１または複数の大規模な物理層パラメータの前記推定を適用し、前記ＵＥ固有のＲＳを使って前記隣接ｅＮＢから受信される前記１または複数のダウンリンクチャネルのうちの１つを復調する、項目２に記載のＵＥ。
［項目４］
前記サービングｅＮＢから受信される前記シグナリングは、さらに、前記１または複数のダウンリンクチャネルも前記サービングｅＮＢにより提供されることを示し、
前記ＵＥは、さらに、前記サービングｅＮＢからの基準信号の受信に基づいて前記１または複数の大規模な物理層パラメータを推定し、推定された前記１または複数の大規模な物理層パラメータを前記サービングｅＮＢからの前記１または複数のダウンリンクチャネルの複数の領域を処理するために適用する、項目３に記載のＵＥ。
［項目５］
前記ｅ−ＰＤＣＣＨが隣接ｅＮＢに少なくとも部分的にオフロードされると、前記ＵＥは、前記隣接ｅＮＢからのｅ−ＰＤＣＣＨ  ＵＥ固有のＲＳの受信に対して前記１または複数の大規模な物理層パラメータの前記推定を適用し、前記ｅ−ＰＤＣＣＨ  ＵＥ固有のＲＳを使って前記隣接ｅＮＢから受信される前記ｅ−ＰＤＣＣＨの複数のセットを復調し、
前記ＰＤＳＣＨが隣接ｅＮＢに少なくとも部分的にオフロードされると、前記ＵＥは、前記１または複数の大規模な物理層パラメータの前記推定を前記隣接ｅＮＢからのＰＤＳＣＨ  ＵＥ固有のＲＳの受信に適用し、前記ＰＤＳＣＨ  ＵＥ固有のＲＳを使って前記隣接ｅＮＢから受信される前記ＰＤＳＣＨの複数のリソースブロックの割り当てを復調する、項目３または４に記載のＵＥ。
［項目６］
前記１または複数の大規模な物理層パラメータは、タイミングオフセット、周波数オフセットまたはシフト、チャネル電力遅延プロファイル、チャネルドップラー拡散、および平均チャネルゲインのうちの１または複数を含み、
前記１または複数の大規模な物理層パラメータが少なくともタイミングオフセットを含むと、前記サービングｅＮＢから受信される前記シグナリングは、前記隣接ｅＮＢの前記基準信号が、前記隣接ｅＮＢの前記１または複数のダウンリンクチャネルに関連付けられるタイミングオフセット推定のために使われ、
前記ＵＥは、
前記サービングｅＮＢの同期シーケンスの受信に基づいて初期タイミング同期を実行し、
前記サービングｅＮＢからの基準信号および前記隣接ｅＮＢの示された前記基準信号の受信に基づいて、前記サービングｅＮＢの複数のダウンリンクフレームおよび前記隣接ｅＮＢの複数のダウンリンクフレームの間のタイミングオフセットを推定し、
推定された前記タイミングオフセットを前記隣接ｅＮＢの１または複数のダウンリンクチャネルの複数の領域を処理するために適用する、項目３から５のいずれか一項に記載のＵＥ。
［項目７］
１または複数のダウンリンクチャネルが完全にオフロードされると、前記ＵＥは、前記サービングｅＮＢからではなく、１または複数の隣接ｅＮＢから前記１または複数のダウンリンクチャネルを受信する、項目３から６のいずれか一項に記載のＵＥ。
［項目８］
１または複数のダウンリンクチャネルが部分的にオフロードされると、前記ＵＥは、前記サービングｅＮＢおよび少なくとも１つの隣接ｅＮＢの両方から同時に前記１または複数のダウンリンクチャネルを受信し、前記１または複数のダウンリンクチャネルは複数の領域に区画化され、前記複数の領域は前記ｅ−ＰＤＣＣＨに対する複数のセットおよび前記ＰＤＳＣＨに対する複数のリソースブロックの割り当てであり、各領域は前記ｅＮＢの１つにより送信され、
前記ＵＥは、サービングｅＮＢから送信される前記１または複数のダウンリンクチャネルの領域を含む複数のリソースブロックを示し、且つ、前記１または複数の隣接ｅＮＢにより送信される前記１または複数のダウンリンクチャネルの前記領域を含む前記複数のリソースブロックを示す前記サービングｅＮＢからシグナリングを受信し、
前記ＵＥは、さらに、前記１または複数のダウンリンクチャネルの各領域に独立に異なる処理を適用する、項目３から７のいずれか一項に記載のＵＥ。
［項目９］
前記ＵＥは、前記ｅ−ＰＤＣＣＨ  ＵＥ固有のＲＳから判断されるチャネル情報を前記ｅ−ＰＤＣＣＨの記号検出および復調に対して使用する、項目３から８のいずれか一項に記載のＵＥ。
［項目１０］
前記ＵＥは、シングル高速フーリエ変換（ＦＦＴ）処理を実行して、シングルＦＦＴ処理ステップにおいて前記ＣＳＩ−ＲＳ、セル固有の基準信号（ＣＲＳ），前記１または複数のダウンリンクチャネルのうちの少なくとも１つ、および前記ＵＥ固有のＲＳを処理する、項目３から９のいずれか一項に記載のＵＥ。
［項目１１］
前記シグナリングは、無線リソース制御層シグナリング（ＲＲＣ層シグナリング）を使用して提供され、
前記ＲＲＣ層シグナリングは、ＣｏＭＰリソース管理セットの構成、前記ＣｏＭＰリソース管理セットの基準ＣＳＩ−ＲＳリソースインデックス、ＣｏＭＰ測定セット、前記サービングｅＮＢまたは前記隣接ｅＮＢの前記基準信号の基準物理セル識別の構成のうちの少なくとも１つを示す、項目３から１０のいずれか一項に記載のＵＥ。
［項目１２］
前記シグナリングは、ＭＡＣ層シグナリングを使用して提供される、項目３から１１のいずれか一項に記載のＵＥ。
［項目１３］
前記ＰＤＳＣＨが少なくとも部分的にオフロードされると、前記ＰＤＳＣＨのシグナリングは、ダウンリンク制御情報（ＤＣＩ）における物理（ＰＨＹ）層シグナリングを使用して提供される、項目３から１２のいずれか一項に記載のＵＥ。
［項目１４］
１または複数のダウンリンクチャネルがサービング進化型ノードＢ（サービングｅＮＢ）から１または複数の隣接ｅＮＢに少なくとも部分的にオフロードされるマルチポイント協調（ＣｏＭＰ）オペレーションのための方法であって、
隣接ｅＮＢの基準信号を示す前記サービングｅＮＢからシグナリングを受信して、前記隣接ｅＮＢにより提供される前記１または複数のダウンリンクチャネルに関連する１または複数の大規模な物理層パラメータの推定に使い、前記１または複数の大規模な物理層パラメータは、タイミングオフセット、周波数オフセットまたはシフト、チャネル電力遅延プロファイル、チャネルドップラー拡散、および平均チャネルゲインのうちの１または複数を含む、受信する段階と、
前記隣接ｅＮＢから受信される前記１または複数のダウンリンクチャネルの複数の領域を処理するために、前記隣接ｅＮＢからの、示された前記基準信号の受信に基づいて前記１または複数の大規模な物理層パラメータを推定する段階と、を備え、
示された前記基準信号は、チャネル状態情報基準信号（ＣＳＩ−ＲＳ）を含むＣｏＭＰ測定セットの基準信号である、方法。
［項目１５］
前記１または複数のダウンリンクチャネルは、物理ダウンリンク共有チャネル（ＰＤＳＣＨ）および拡張物理ダウンリンク制御チャネル（ｅ−ＰＤＣＣＨ）のうちの少なくとも一方を含む、項目１４に記載の方法。
［項目１６］
前記ｅ−ＰＤＣＣＨが隣接ｅＮＢに少なくとも部分的にオフロードされると、ユーザ機器（ＵＥ）により、
前記隣接ｅＮＢからのｅ−ＰＤＣＣＨ  ＵＥ固有のＲＳの受信に対して前記１または複数の大規模な物理層パラメータの前記推定を適用する段階と、
前記ｅ−ＰＤＣＣＨ  ＵＥ固有のＲＳを使って前記隣接ｅＮＢから受信される前記ｅ−ＰＤＣＣＨの複数のセットを復調する段階と、
を備える、項目１５に記載の方法。
［項目１７］
前記ＰＤＳＣＨが隣接ｅＮＢに少なくとも部分的にオフロードされると、前記ＵＥは、前記１または複数の大規模な物理層パラメータの前記推定を前記隣接ｅＮＢからのＰＤＳＣＨ  ＵＥ固有のＲＳの受信に適用し、前記ＰＤＳＣＨ  ＵＥ固有のＲＳを使って前記隣接ｅＮＢから受信される前記ＰＤＳＣＨの複数のリソースブロックの割り当てを復調する、項目１６に記載の方法。
［項目１８］
前記ＵＥは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）内でのＣｏＭＰオペレーションのためのものであり、
示された前記基準信号は、セル固有の基準信号（ＣＲＳ）、プライマリ同期シーケンス（ＰＳＳ）、およびセカンダリ同期シーケンス（ＳＳＳ）のうちの少なくとも１つを含む、項目１６または１７に記載の方法。
［項目１９］
マルチポイント協調（ＣｏＭＰ）オペレーションのためのユーザ機器（ＵＥ）であって、
サービングｅＮＢから受信されるシグナリングを処理して、前記サービングｅＮＢの基準信号を判断し、前記サービングｅＮＢにより提供される１または複数のダウンリンクチャネルに関連する１または複数の大規模な物理層パラメータの推定に使用し、前記１または複数の大規模な物理層パラメータは少なくともタイミングオフセットを含む、処理回路を有し、
前記１または複数のダウンリンクチャネルが隣接ｅＮＢに少なくとも部分的にオフロードされると、前記処理回路はさらに、
前記サービングｅＮＢから受信される前記シグナリングを処理して、前記隣接ｅＮＢの基準信号を判断し、ＣｏＭＰオペレーションのために前記隣接ｅＮＢにより提供される前記１または複数のダウンリンクチャネルに関連する１または複数の大規模な物理層パラメータの推定に使用し、
前記サービングｅＮＢからの前記１または複数のダウンリンクチャネルの複数の領域を処理するために、前記サービングｅＮＢの前記基準信号から推定される前記１または複数の大規模な物理層パラメータを適用し、
前記隣接ｅＮＢから前記１または複数のダウンリンクチャネルの複数の領域を処理するために前記隣接ｅＮＢの前記基準信号から推定される前記１または複数の大規模な物理層パラメータを適用する、ＵＥ。
［項目２０］
示された前記基準信号は、複数のチャネル状態情報基準信号（ＣＳＩ−ＲＳ）を含むＣｏＭＰ測定セットの基準信号である、項目１９に記載のＵＥ。
［項目２１］
前記１または複数のダウンリンクチャネルは、物理ダウンリンク共有チャネル（ＰＤＳＣＨ）および拡張物理ダウンリンク制御チャネル（ｅ−ＰＤＣＣＨ）のうちの少なくとも一方を含む、項目２０に記載のＵＥ。
【図１】
2017085596.tif 000003
【図２】
2017085596.tif 000004
【図３】
2017085596.tif 000005
【図４Ａ】
2017085596.tif 000006
【図４Ｂ】
2017085596.tif 000007
【図４Ｃ】
2017085596.tif 000008
【図５】
2017085596.tif 000009
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）の装置であって、
メモリと、
前記メモリと通信する処理回路と
を備え、
前記処理回路は、
サービング進化型ノードＢ（サービングｅＮＢ）からの無線リソース制御シグナリング（ＲＲＣシグナリング）をデコードし、前記ＲＲＣシグナリングは、物理ダウンリンク共有チャネル（ＰＤＳＣＨ）が、示される送信モードに従って受信されるべきであることを示し、前記ＲＲＣシグナリングは、コロケートされる拡張物理ダウンリンク制御チャネル（ｅ−ＰＤＣＣＨ）に関連する１又は複数の大規模なパラメータを推定することに使用するチャネル状態情報基準信号（ＣＳＩ−ＲＳ）をさらに示し、前記ＣＳＩ−ＲＳは、アンテナポート１５から２２に対応し、前記ｅ−ＰＤＣＣＨは、アンテナポート１０７から１１０に対応し、アンテナポート１５から２２は、アンテナポート１０７から１１０とともに疑似コロケートされると仮定され、
前記ｅ−ＰＤＣＣＨに関連する前記１又は複数の大規模なパラメータを推定し、示される前記ＣＳＩ−ＲＳを使用して前記メモリに格納され、
アンテナポート１５から２２に対応する前記ＣＳＩ−ＲＳから判断される前記推定される１又は複数の大規模なパラメータを使用してＰＤＳＣＨをデコードし、
アンテナポート０から３に対応するサービングセルのセル固有の基準信号（ＣＲＳ）から判断される前記１又は複数の大規模なパラメータについての推定を使用して前記ＰＤＳＣＨをさらにデコードする
ように構成され、
前記１又は複数の大規模なパラメータは、ドップラーシフト、ドップラー拡散、平均遅延又は遅延拡散のうちの１又は複数を含む、装置。
【請求項２】
前記ＰＤＳＣＨは、マルチポイント協調オペレーション（ＣｏＭＰオペレーション）の一部として送信され、
前記処理回路は、前記サービングセルのＣＲＳからタイミング又は周波数オフセットのうちの少なくとも一方を推定するようにさらに構成される、請求項１に記載の装置。
【請求項３】
前記ＰＤＳＣＨは、前記サービングｅＮＢから隣接ｅＮＢに部分的にオフロードされ、
前記ＰＤＳＣＨのシグナリングは、ダウンリンク制御情報（ＤＣＩ）における物理層シグナリング（ＰＨＹ層シグナリング）を使用して前記ＵＥにてデコードされる、請求項１又は２に記載の装置。
【請求項４】
前記ｅ−ＰＤＣＣＨのシグナリングは、ダウンリンク制御情報（ＤＣＩ）を使用することなく前記ＵＥにてデコードされる、請求項１から３のいずれか一項に記載の装置。
【請求項５】
前記示される送信モードは、送信モード１０である、請求項１から４のいずれか一項に記載の装置。
【請求項６】
マルチポイント協調オペレーション（ＣｏＭＰオペレーション）の一部として、前記ＰＤＳＣＨ又は前記ｅ−ＰＤＣＣＨのうちの少なくとも一方は、前記サービングｅＮＢからの代わりに１又は複数の隣接ｅＮＢから前記ＵＥにて受信されるべく、前記サービングｅＮＢから前記１又は複数の隣接ｅＮＢに完全にオフロードされる、請求項１又は２に記載の装置。
【請求項７】
マルチポイント協調オペレーション（ＣｏＭＰオペレーション）の一部として、前記ＰＤＳＣＨ又は前記ｅ−ＰＤＣＣＨのうちの少なくとも一方は、１又は複数の隣接ｅＮＢ、及び、前記サービングｅＮＢから前記ＵＥにて受信されるべく、前記サービングｅＮＢから前記１又は複数の隣接ｅＮＢに部分的にオフロードされる、請求項１又は２に記載の装置。
【請求項８】
前記１又は複数の大規模な物理層パラメータは、タイミングオフセットを含み、
前記処理回路は、
前記サービングｅＮＢの同期シーケンスの受信に基づいて初期タイミング同期を実行し、
前記サービングｅＮＢ、及び、１又は複数の隣接ｅＮＢからの複数の基準信号の受信に基づいて、前記サービングｅＮＢの複数のダウンリンクフレームと、前記１又は複数の隣接ｅＮＢの複数のダウンリンクフレームとの間の前記タイミングオフセットを推定し、
前記ＰＤＳＣＨ又は前記ｅ−ＰＤＣＣＨのうちの少なくとも一方を処理するために、前記推定されるタイミングオフセットを適用する
ようにさらに構成される、請求項１から７のいずれか一項に記載の装置。
【請求項９】
前記タイミングオフセットは、サイクリックプレフィックス（ＣＰ）の長さに限定される、請求項８に記載の装置。
【請求項１０】
マルチポイント協調オペレーション（ＣｏＭＰオペレーション）の一部として、前記ＰＤＳＣＨ又は前記ｅ−ＰＤＣＣＨのうちの少なくとも一方は、複数の隣接ｅＮＢから、及び、前記サービングｅＮＢから前記ＵＥにて受信されるべく、前記サービングｅＮＢから前記複数の隣接ｅＮＢに部分的にオフロードされ、
前記ＰＤＳＣＨ又は前記ｅ−ＰＤＣＣＨのうちの前記少なくとも一方は、複数の領域に区画化され、各領域は、前記複数の隣接ｅＮＢのうちの異なる１つから受信され、
前記処理回路は、
前記サービングｅＮＢから送信される前記ＰＤＳＣＨ又は前記ｅ−ＰＤＣＣＨのうちの前記少なくとも一方の前記領域を有する複数のリソースブロック、及び、前記複数の隣接ｅＮＢにより送信される前記ＰＤＳＣＨ又は前記ｅ−ＰＤＣＣＨのうちの前記少なくとも一方の前記領域を有する複数のリソースブロックを示す、前記サービングｅＮＢからのシグナリングをデコードし、
各領域に独立した処理を適用する
ようにさらに構成される、請求項１に記載の装置。
【請求項１１】
前記ｅ−ＰＤＣＣＨが複数の領域を含むとき、前記ＣＳＩ−ＲＳのリソースは、前記ＣｏＭＰオペレーションに関与するｅＮＢに送信されて固有のものとなる前記ｅ−ＰＤＣＣＨの各領域について構成され、
前記処理回路は、複数のｅ−ＰＤＣＣＨ領域構成をデコードするようにさらに構成され、各構成は、独立した基準信号構成を有する、請求項１０に記載の装置。
【請求項１２】
各ｅ−ＰＤＣＣＨ領域構成は、
ｅ−ＰＤＣＣＨ−Ｃｏｎｆｉｇ−Ｓｅｔ−ｒ１１：：＝ＣＨＯＩＣＥ｛
…
ｃｓｉＲｓＩｎｄｅｘ−ｒ１１  ＩＮＴＥＧＥＲ（０．．３），
ｐｈｙｓＣｅｌｌＩｄ−ｒ１１  ＰｈｙｓＣｅｌｌＩｄ，
…
｝
により与えられ、前記ｅ−ＰＤＣＣＨ領域構成におけるＣＳＩ−ＲＳインデックスは、制御メッセージにより構成される特定のＣＳＩ−ＲＳを示す、請求項１１に記載の装置。
【請求項１３】
前記処理回路は、
複数のｅ−ＰＤＣＣＨ構成をデコードし、複数の共通且つＵＥ固有のサーチスペースの前記構成は、独立した基準信号構成を有するようにさらに構成される、請求項１０から１２のいずれか一項に記載の装置。
【請求項１４】
前記処理回路は、
前記ＲＲＣシグナリングが受信されなかった場合、デフォルトのパラメータ推定を使用して、前記ｅ−ＰＤＣＣＨに関連する前記１又は複数の大規模なパラメータを推定するようにさらに構成され、前記デフォルトのパラメータ推定は、前記サービングｅＮＢの基準信号から導出されるデフォルトのタイミングを含む、請求項１から１３のいずれか一項に記載の装置。
【請求項１５】
前記処理回路は、
前記サービングｅＮＢのＸ２インタフェースを通じた１又は複数の隣接ｅＮＢへの送信に対するＣＳＩフィードバックをエンコードするようにさらに構成され、前記ＣＳＩ−ＲＳは、前記１又は複数の隣接ｅＮＢから受信される、請求項１から１４のいずれか一項に記載の装置。
【請求項１６】
サービング進化型ノードＢ（サービングｅＮＢ）の装置であって、
メモリと、
前記メモリと通信する処理回路と
を備え、
前記処理回路は、
ユーザ機器（ＵＥ）への送信のために、サービング進化型ノードＢ（サービングｅＮＢ）からの無線リソース制御シグナリング（ＲＲＣシグナリング）をエンコードし、前記ＲＲＣシグナリングは、物理ダウンリンク共有チャネル（ＰＤＳＣＨ）が、示される送信モードに従って受信されるべきであることを示し、前記ＲＲＣシグナリングは、コロケートされる拡張物理ダウンリンク制御チャネル（ｅ−ＰＤＣＣＨ）に関連する１又は複数の大規模なパラメータを推定するために用いるチャネル状態情報基準信号（ＣＳＩ−ＲＳ）をさらに示し、前記ＣＳＩ−ＲＳは、アンテナポート１５から２２に対応し、前記ｅ−ＰＤＣＣＨは、アンテナポート１０７から１１０に対応し、アンテナポート１５から２２は、アンテナポート１０７から１１０と疑似コロケートされると仮定され、
前記ＵＥへの送信のために、前記示されるＣＳＩ−ＲＳを使用して前記ｅ−ＰＤＣＣＨに関連する前記１又は複数の大規模なパラメータをエンコードし、前記１又は複数の大規模なパラメータは、前記メモリに格納される前記ｅ−ＰＤＣＣＨに関連し、
前記ＵＥへの送信のために前記ＰＤＳＣＨをエンコードし、前記ＰＤＳＣＨは、前記ＵＥに送信され、かつ、アンテナポート０から３に対応するサービングセルのセル固有の基準信号（ＣＲＳ）から判断される前記１又は複数の大規模なパラメータの推定と合致し、前記ＰＤＳＣＨは、マルチポイント協調オペレーション（ＣｏＭＰオペレーション）の一部として送信され、前記ＰＤＳＣＨは、１又は複数の隣接ｅＮＢ、及び、前記サービングｅＮＢにより送信されるべく、前記サービングｅＮＢから前記１又は複数の隣接ｅＮＢに部分的にオフロードされる
ように構成され、
前記１又は複数の大規模なパラメータは、ドップラーシフト、ドップラー拡散、平均遅延又は遅延拡散のうちの１又は複数を含む、装置。
【請求項１７】
前記ＰＤＳＣＨのシグナリングは、ダウンリンク制御情報（ＤＣＩ）内の物理層シグナリング（ＰＨＹ層シグナリング）を使用して提供され、
前記ｅ−ＰＤＣＣＨのシグナリングは、前記ダウンリンク制御情報（ＤＣＩ）の使用することなく前記ＵＥに提供される、請求項１６に記載の装置。
【請求項１８】
前記送信モードは、送信モード１０である、請求項１６又は１７に記載の装置。
【請求項１９】
前記ＰＤＳＣＨ又は前記ｅ−ＰＤＣＣＨのうちの少なくとも一方は、異なる複数の隣接ｅＮＢに対する複数の領域に区画化され、前記サービングｅＮＢからのシグナリングは、前記サービングｅＮＢから送信される前記ＰＤＳＣＨ又は前記ｅ−ＰＤＣＣＨのうちの前記少なくとも一方についての前記複数の領域の各領域を有する複数のリソースブロック、及び、異なるタイミング及び独立した処理の対象となる前記複数の隣接ｅＮＢにより送信される前記ＰＤＳＣＨ又は前記ｅ−ＰＤＣＣＨのうちの前記少なくとも一方についての前記領域を有する複数のリソースブロックを示す、請求項１６から１８のいずれか一項に記載の装置。
【請求項２０】
前記処理回路は、
複数のｅ−ＰＤＣＣＨ構成をエンコードするようにさらに構成され、複数の共通且つＵＥ固有のサーチスペースに対する前記構成は、独立した基準信号構成を有する、請求項１９に記載の装置。
【請求項２１】
前記処理回路は、
前記サービングｅＮＢのＸ２インタフェースを通じた前記１又は複数の隣接ｅＮＢへの送信のために、前記ＵＥからのＣＳＩフィードバックをエンコードするようにさらに構成される、請求項１６から２０のいずれか一項に記載の装置。
【請求項２２】
ユーザ機器（ＵＥ）に、
サービング進化型ノードＢ（サービングｅＮＢ）から無線リソース制御シグナリング（ＲＲＣシグナリング）を受信する手順であって、前記ＲＲＣシグナリングは、物理ダウンリンク共有チャネル（ＰＤＳＣＨ）が、示される送信モードに従って受信されるべきであることを示し、前記ＲＲＣシグナリングは、コロケートされる拡張物理ダウンリンク制御チャネル（ｅ−ＰＤＣＣＨ）に関連する１又は複数の大規模なパラメータを推定するために使用するチャネル状態情報基準信号（ＣＳＩ−ＲＳ）をさらに示し、前記ＣＳＩ−ＲＳは、アンテナポート１５から２２に対応し、前記ｅ−ＰＤＣＣＨは、アンテナポート１０７から１１０に対応し、アンテナポート１５から２２は、アンテナポート１０７から１１０と疑似コロケートされると仮定される、手順と、
前記ＲＲＣシグナリングを受信した後に、前記示されるＣＳＩ−ＲＳを使用して前記ｅ−ＰＤＣＣＨに関連する前記１又は複数の大規模なパラメータを推定する手順と、
アンテナポート１５から２２に対応する前記ＣＳＩ−ＲＳから判断される、前記推定される１又は複数の大規模なパラメータを使用してＰＤＳＣＨをデコードする手順と、
アンテナポート０から３に対応するサービングセルのセル固有の基準信号（ＣＲＳ）から判断される前記１又は複数の大規模なパラメータについての推定を使用して前記ＰＤＳＣＨをさらにデコードする手順と
を実行させるためのプログラムであって、
前記１又は複数の大規模なパラメータは、ドップラーシフト、ドップラー拡散、平均遅延又は遅延拡散のうちの１又は複数を含み、
マルチポイント協調オペレーション（ＣｏＭＰオペレーション）の一部として、前記ＰＤＳＣＨ又は前記ｅ−ＰＤＣＣＨのうちの少なくとも一方は、１又は複数の隣接ｅＮＢ、及び、前記サービングｅＮＢにより送信されるべく、前記サービングｅＮＢから前記１又は複数の隣接ｅＮＢに部分的にオフロードされる、プログラム。
【請求項２３】
前記ＰＤＳＣＨは、前記サービングｅＮＢから隣接ｅＮＢに部分的にオフロードされ、
前記ＰＤＳＣＨのシグナリングは、ダウンリンク制御情報（ＤＣＩ）内の物理層シグナリング（ＰＨＹ層シグナリング）を使用して提供され、
前記ｅ−ＰＤＣＣＨのシグナリングは、前記ダウンリンク制御情報（ＤＣＩ）を使用することなく前記ＵＥに提供される、請求項２２に記載のプログラム。
【請求項２４】
前記１又は複数の大規模な物理層パラメータは、タイミングオフセットを含み、
前記ＵＥに、
前記サービングｅＮＢの同期シーケンスの受信に基づいて初期タイミング同期を実行する手順と、
前記サービングｅＮＢ、及び、前記１又は複数の隣接ｅＮＢからの複数の基準信号の受信に基づいて、前記サービングｅＮＢの複数のダウンリンクフレームと、前記１又は複数の隣接ｅＮＢの複数のダウンリンクフレームとの間の前記タイミングオフセットを推定する手順と、
前記ＰＤＳＣＨ又は前記ｅ−ＰＤＣＣＨのうちの少なくとも一方を処理するために、前記推定されるタイミングオフセットを適用する手順と
をさらに実行させるための、請求項２２又は２３に記載のプログラム。
【請求項２５】
前記ＰＤＳＣＨ又は前記ｅ−ＰＤＣＣＨのうちの前記少なくとも一方は、複数の領域に区画化され、各領域は、前記１又は複数の隣接ｅＮＢのうちの異なるものから受信され、
前記ＵＥに、
前記サービングｅＮＢから送信される前記ＰＤＳＣＨ又は前記ｅ−ＰＤＣＣＨのうちの前記少なくとも一方についての前記領域を有する複数のリソースブロック、及び、前記１又は複数の隣接ｅＮＢにより送信される前記ＰＤＳＣＨ又は前記ｅ−ＰＤＣＣＨのうちの前記少なくとも一方についての前記領域を有する複数のリソースブロックを示す、前記サービングｅＮＢからのシグナリングを受信する手順と、
独立に各領域に異なる処理を適用する手順と
を実行させること、又は、
前記ＵＥに、
複数のｅ−ＰＤＣＣＨ構成を受信する手順であって、複数の共通且つＵＥ固有のサーチスペースの前記構成は、独立した基準信号構成を有する、手順
を実行させること、
のうちの少なくとも一方を実行させるための、請求項２２から２４のいずれか一項に記載のプログラム。
【請求項２６】
請求項２２から２５のいずれか一項に記載のプログラムを格納するコンピュータ可読記憶媒体。